(57)【特許請求の範囲】
【請求項１】
荷物を受入れる荷受室と、荷物を荷受室に受入れ又は荷受室から取出し可能にする扉と、を備え、前記扉には、受領用のスタンプを押すための伝票を挿入する伝票挿入用開口部と、扉の施錠を行なう施錠鍵挿入口と、が設けられた宅配ボックスにおいて、
前記施錠鍵挿入口に挿入された施錠鍵の操作と連動し、該施錠鍵で開錠するときに前記伝票挿入用開口部を閉じるとともに前記施錠鍵で施錠するときに前記伝票挿入口用開口部を開く第一のシャッタと、
前記伝票挿入用開口部が開いている状態で伝票のスタンプが完了し伝票を前記伝票用開口部より引抜いた後に閉じる第二のシャッタと、を有したことを特徴とする宅配ボックス。
【請求項２】
請求項１に記載の宅配ボックスであって、前記第一のシャッタは、前記施錠鍵挿入口に挿入された施錠鍵の動きに連動回転する施錠フックに連結されるものであることを特徴とする宅配ボックス。
【請求項３】
請求項１又は２に記載の宅配ボックスであって、前記扉を施錠状態から開錠状態にするときに、前記伝票挿入用開口部を閉じている第二のシャッタは第二のシャッタに当接する第一のシャッタの押圧力を受けて移動し、前記伝票挿入用開口部が第二のシャッタから第一のシャッタに代わって閉じられて荷受待機状態にリセットされることを特徴とする宅配ボックス。
【請求項４】
請求項３に記載の宅配ボックスであって、前記第一のシャッタが前記伝票挿入用開口部を閉じている状態で、前記第一のシャッタの下端部に当接する第二のシャッタが一対の突設する係止部と上方に負荷する第一弾性体を備えて設けられ、
前記伝票を受け入れる伝票受部の両側近傍に一対の三角材がその対向する斜面が上方に広がるように配置されそれぞれの三角材はその間隔が狭くなる方向に第二弾性体で押込まれた状態でその下面で前記係止部を係止し、
前記第一のシャッタが前記伝票挿入用開口部を開いている状態で、受領用のスタンプを保持する上下動自在のスタンプホルダーがその両端部を前記伝票受部を跨いで形成され、この両端部に備える押付け材によって前記斜面をそれぞれ押付けながら下降して、前記一対の三角材が第二弾性体の弾力に打勝ってその間隔が広がるとともに、前記第二のシャッタは前記係止部が前記三角材から離れて第一弾性体で持上げられ前記伝票挿入用開口部を塞ぐことを特徴とする宅配ボックス。
【発明の詳細な説明】
【技術分野】
【０００１】
本発明は宅配物を荷受けする宅配ボックスに関し、詳しくは、宅配ボックスの伝票挿入用開口部に雨水等の浸入を防ぐための宅配ボックスの伝票挿入用開口部の開閉装置の技術に関するものである。
【背景技術】
【０００２】
従来、宅配ボックスの伝票挿入用開口部に雨水等の浸入を防ぐための宅配ボックスの伝票挿入用開口部の開閉装置として、例えば、特許文献１の内容が知られている。
【０００３】
図６（ａ）、（ｂ）に示すように、特許文献１の宅配ボックスは扉１８に伝票２を挿入するための伝票挿入用開口部３が設けられる。この伝票挿入用開口部３にシャッタ５が設けられ、シャッタ５は前面部両側に突設する腕片２２によって表面パネル１８に回動自在に支持されている。シャッタ５の背面部には横長孔２３を有する作動部２４が突設される。
【０００４】
ここで、ウォームギア１２とウォームホイル１３が設けられ、ウォームホイル１３の回転中心から偏心した位置にシャフト１４が突設され、このシャフト１４がシャッタ５の作動部２４の横長孔２３にスライド自在に嵌まり込んでいる。なお、ウォームギア１２は電動モータの出力軸に連結される。
【０００５】
このため、ウォームギア１２、ウォームホイル１３の順に回転し、ウォームホイル１３が回転することでシャフト１４が回動し、このシャフト１４の回動によりシャッタ５が回動して伝票挿入用開口部３が開閉される。
【特許文献１】特許第３２６１２７９号公報
【発明の開示】
【発明が解決しようとする課題】
【０００６】
ところが、シャッタ５の駆動が電動であるため、稀ではあるが、停電時やバッテリーの電圧降下等により動作不良が発生してシャッタ５の開閉不良となり雨水や埃が侵入することがあった。
【０００７】
そこで、本発明はかかる従来技術の問題に鑑みなされたものであり、宅配ボックスにおいて簡単な構造で伝票挿入用開口部からの雨水や埃等の侵入を防止することができる宅配ボックスの伝票挿入用開口部の開閉装置を提供することを目的とする。
【課題を解決するための手段】
【０００８】
請求項１の発明は、荷物を受入れる荷受室と、荷物を荷受室に受入れ又は荷受室から取出し可能にする扉と、を備え、前記扉には、受領用のスタンプを押すための伝票を挿入する伝票挿入用開口部と、扉の施錠を行なう施錠鍵挿入口と、が設けられた宅配ボックスにおいて、前記施錠鍵挿入口に挿入された施錠鍵の操作と連動し、該施錠鍵で開錠するときに前記伝票挿入用開口部を閉じるとともに前記施錠鍵で施錠するときに前記伝票挿入口用開口部を開く第一のシャッタと、前記伝票挿入用開口部が開いている状態で伝票のスタンプが完了し伝票を前記伝票用開口部より引抜いた後に閉じる第二のシャッタと、を有したことを特徴としている。
【０００９】
請求項２の発明は、請求項１に記載の宅配ボックスであって、前記第一のシャッタは、前記施錠鍵挿入口に挿入された施錠鍵の動きに連動回転する施錠フックに連結されるものであることを特徴としている。
【００１０】
請求項３の発明は、請求項１又は２に記載の宅配ボックスであって、前記扉を施錠状態から開錠状態にするときに、前記伝票挿入用開口部を閉じている第二のシャッタは第二のシャッタに当接する第一のシャッタの押圧力を受けて移動し、前記伝票挿入用開口部が第二のシャッタから第一のシャッタに代わって閉じられて荷受待機状態にリセットされることを特徴としている。
【００１１】
請求項４の発明は、請求項３に記載の宅配ボックスであって、前記第一のシャッタが前記伝票挿入用開口部を閉じている状態で、前記第一のシャッタの下端部に当接する第二のシャッタが一対の突設する係止部と上方に負荷する第一弾性体を備えて設けられ、前記伝票を受け入れる伝票受部の両側近傍に一対の三角材がその対向する斜面が上方に広がるように配置されそれぞれの三角材はその間隔が狭くなる方向に第二弾性体で押込まれた状態でその下面で前記係止部を係止し、前記第一のシャッタが前記伝票挿入用開口部を開いている状態で、受領用のスタンプを保持する上下動自在のスタンプホルダーがその両端部を前記伝票受部を跨いで形成され、この両端部に備える押付け材によって前記斜面をそれぞれ押付けながら下降して、前記一対の三角材が第二弾性体の弾力に打勝ってその間隔が広がるとともに、前記第二のシャッタは前記係止部が前記三角材から離れて第一弾性体で持上げられ前記伝票挿入用開口部を塞ぐことを特徴としている。
【発明の効果】
【００１２】
請求項１記載の発明は、施錠鍵挿入口に挿入された施錠鍵の操作と連動し、該施錠鍵で開錠するときに伝票挿入用開口部を閉じるとともに施錠鍵で施錠するときに伝票挿入口用開口部を開く第一のシャッタと、伝票挿入用開口部が開いている状態で伝票のスタンプが完了し伝票を伝票用開口部より引抜いた後に閉じる第二のシャッタと、を有している。このような簡単な構造で、伝票のスタンプ動作の前後のみ前記伝票挿入用開口部の開閉ができるので、電源不良による動作不良や故障をなくすことができて、伝票挿入用開口部からの雨水や埃等の侵入を容易且つ確実に防止することができる。
【００１３】
請求項２の発明によれば、前記第一のシャッタは、前記施錠鍵挿入口に挿入された施錠鍵の動きに連動回転する施錠フックに連結されるものであるから、請求項１の発明の効果と同様の効果に加えて、簡単な構造となる。
【００１４】
請求項３の発明によれば、前記扉を施錠状態から開錠状態にするときに前記伝票挿入用開口部を閉じるシャッタは、第一のシャッタが第二のシャッタに当接したときの押圧力を受けて第二のシャッタが移動し、第二のシャッタから第一のシャッタに変わり荷受待機状態にリセットされる。このように、第一のシャッタと第二のシャッタを用いて解錠時と施錠時の両方に対応できて請求項１の発明の効果と同様の効果が得られる。
【００１５】
請求項４の発明によれば、前記第一のシャッタが前記伝票挿入用開口部を閉じている状態で、前記第一のシャッタの下端部に当接する第二のシャッタが一対の突設する係止部と上方に負荷する第一弾性体を備えて設けられる。そして、伝票を受け取る伝票受部の両側近傍に一対の三角材がその対向する斜面が上方に広がるように配置されそれぞれの三角材はその間隔が狭くなる方向に第二弾性体で押込まれた状態でその下面で前記係止部を係止する。
【００１６】
そして、前記第一のシャッタが前記伝票挿入用開口部を開いている状態で、受領用のスタンプを保持する上下動自在のスタンプホルダーがその両端部を前記伝票受部を跨いで形成され、この両端部に備える押付け材によって前記斜面をそれぞれ押付けながら下降して、前記一対の三角材が第二弾性体の弾力に打勝ってその間隔が広がるとともに、前記第二のシャッタは前記係止部が前記三角材から離れて第一弾性体で持上げられ前記伝票挿入用開口部を塞ぐことができる。
【００１７】
このように、第一のシャッタと第二のシャッタを解錠時と施錠時に対応して交互に用いるので請求項１の発明の効果と同様の効果が得られる。
【発明を実施するための最良の形態】
【００１８】
＜本発明の実施形態＞
以下に、本発明の実施形態を図１〜図５に基づいて説明する。
＜宅配ボックスの構成＞
【００１９】
図1、図２に示すように、本発明の宅配ボックス３１は荷物を受入れる荷受室３２と扉３３を有し、扉３３の外面側３３ａに開錠鍵挿入口３５と荷受け確認のため伝票Ｑにスタンプするためのスタンプ始動ボタン１０とが設けられる。
【００２０】
そして、扉３３を貫通する伝票挿入用開口部３７に対応して扉３３の内面側３３ｂに伝票受部３８を備えるとともに、伝票挿入用開口部３７を開閉する開閉装置４０を備える。
【００２１】
伝票受部３８は水平且つ平行な上面板３８ａと下面板３８ｂが一対の側面板３８ｃと後面板３０ｄで囲って形成され、前面に伝票挿入用開口部３７に対応する伝票挿入口３７ａを備える。上面板３８ａの中央部にスタンプ３９の挿入用の挿入孔３０ｅが形成される。スタンプ３９は挿入孔３０ｅを下降して下面板３８ｂ上に挿入された伝票Ｑにスタンプを押すことができる。
【００２２】
開閉装置４０は第一のシャッタ４１と第二のシャッタ４２を備え、第一のシャッタ４１は施錠フック３６と９０度の角度を持って同一面内で連結される。施錠鍵挿入口３５に挿入する施錠鍵３５ａを９０度回転して施錠フック３６を施錠すると、第一のシャッタも９０度上方に連動回転して伝票挿入口３７ａ及び伝票挿入用開口部３７を連通して開くことができる。
【００２３】
より詳しくは伝票挿入口３７ａと伝票挿入用開口部３７の間には扉３３の内面３３ｂに沿って隙間Ｓが形成され、この隙間Ｓに第一のシャッタ４１又は後述する第二のシャッタ４２が出入りすることで伝票挿入口３７ａと伝票挿入用開口部３７は同時に開閉される。
【００２４】
そして、第一のシャッタ４１の下端部４１ａに一対の半円形の突部４１ｂを備え、第一のシャッタ４１が伝票挿入口３７ａを閉じている状態で突部４１ｂに当接する第二のシャッタ４２が設けられる。
【００２５】
第二のシャッタ４２は、両端部に荷受室３２の内部側に直角に突設する一対の矩形状の係止部４３と、中央部で上方に負荷する第一弾性体４４を備える。第一弾性体４４はバネでその一端部４４ａは扉３３の内面側３３ｂに図示しない方法で固着される。
【００２６】
伝票受部３８の両側近傍に一対の三角材４６がその対向する斜面４６ａが上方に広がるように配置されるとともに、それぞれの三角材４６はその間隔が狭くなる方向に第二弾性体４７で押込まれた状態である。第二弾性体４７はバネでその一端部４７ａは扉３３の内面側３３ｂに図示しない方法で固着される。また、三角材４６の下面４６ｂによって係止部４３が上昇しないように係止される。
【００２７】
受領用のスタンプ３９は上下動自在のスタンプホルダー５０に内蔵保持されて、スタンプホルダー５０が第三弾性体５１としてのバネを介して一端部５１aが図示しない方法で扉３３の内面側３３ｂに固着される。そのスタンプホルダー５０は水平部５２を備え、水平部５２の両端部に垂直部５３が下垂され、この垂直部５３が伝票受部３８を横方向に跨いで形成される。この垂直部５３に扉３３側に水平に延びる丸棒状の押付け材５４を一対備える。
【００２８】
このため、スタンプ時にスタンプホルダー５０に連動してスタンプ３９が下降すると、押付け材５４が斜面４６ａを押付けながら下降するので、一対の三角材４６が第二弾性体４７の弾力に打勝ってその間隔が広がる。このため、第二のシャッタ４２の係止部４３が三角材４６から離れて自由になるので、第二のシャッタ４２が第一弾性体４４で持上げられて伝票挿入口３７ａを塞ぐことができる。
【００２９】
なお、スタンプホルダー５０はスタンプ時にスタンプ始動ボタン１０に連動する図示しないスタンプ昇降具によって一度だけ下降させることができる。
【００３０】
伝票受部３８及び開閉装置４０の弾性体以外の各部材は薄板鋼板や樹脂材等を用いて形成される。
＜宅配ボックスの作用＞
【００３１】
図３（ａ）は、宅配ボックスに荷物が入っていない荷受待機状態で、施錠フック３６が施錠されていないので、いつでも扉を開けることができる状態である。この状態では第一のシャッタ４１が伝票挿入口３７ａを塞いでいるので伝票を伝票受部３８に入れることができない。
【００３２】
図３（ｂ）は、扉を開けて宅配ボックスに荷物を入れた後に施錠フック３６が施錠された状態で、施錠に連動して第一のシャッタが回転して持上げられて伝票挿入口３７ａが開放される。この状態では、第二のシャッタ４２に第一弾性体４４で押上げられる力が働いているが係止部４３が一対の三角材４６に係止されているので第二のシャッタ４２は上昇しない。
【００３３】
図４（ａ）に示すように、伝票挿入口３７ａから伝票Ｑを挿入する。そして、図４（ｂ）に示すように、スタンプ実行のためにスタンプ３９が下降すると、一対の押付け材５４が斜面４６ａをそれぞれ押付けながら下降するため、一対の三角材４６が第二弾性体４７の弾力に打勝ってその間隔が広がる。そして、スタンプ実行の瞬間では一対の三角材４６の間隔Ｐは一対の係止部４３間の幅Ｐ１より広くなる。
【００３４】
このため、図５（ａ）に示すように、スタンプが実行されると同時に第二のシャッタ４２は第一弾性体４４によって瞬時に上昇するが、途中で第二のシャッタ４２は伝票Ｑによってその上昇が制止される。一方、スタンプ３９は上昇を続ける。
【００３５】
図５（ｂ）に示すように、スタンプ３９がすでに上昇した状態で伝票Ｑを引抜くと、第二のシャッタ４２は第一弾性体４４によって伝票挿入口３７ａを完全に覆う位置まで上昇する。このとき、一対の押付け材５４が三角材４６から離れるので三角材４６は第二弾性体４７の弾力によってその隙間が狭くなる。
【００３６】
この後、宅配ボックスから荷物を出すために開錠すると第一のシャッタ４１が回転下降する。そして、第一のシャッタ４１が第二のシャッタ４２を押下げて、第二のシャッタ４２の係止部４３が一対の三角材４６の斜面４６ａに沿って下降することによって第二弾性体４７の弾力に打勝って一対の三角材４６の隙間が広がる。係止部４３が三角材４６より僅かに下方に下降した状態で三角材４６は第二弾性体４７の弾力によって一対の三角材４６の隙間が狭くなる。このため、係止部４３が一対の三角材４６の裏面４６ａに第一弾性体４４の弾力で係止されて第二のシャッタ４２が上昇しないように係止されるので、図３（ａ）の状態に戻る。このように、図３（ａ）の状態は第二のシャッタから第一のシャッタに変わり荷受待機状態にリセットされた状態である。
【００３７】
このように、電源不用の簡単な構造の第一のシャッタ４１又は第二のシャッタ４２によって、伝票挿入口３７ａ、伝票挿入用開口部３７を塞ぐことができるので雨水や埃等の侵入を防止できる。雨水や埃等からスタンプ面を守ることができるのでスタンプ性能の維持にも効果が得られる。
【００３８】
伝票挿入用開口部３７が必要時以外は開放されないので、伝票の挿入及びスタンプ機能が制限できてスタンプの実施が一回しかできなのでいたずら防止に有効である。
【００３９】
また、伝票挿入用開口部３７が物理的に開くことで伝票挿入とスタンプが可能であることを視覚的に容易に利用者に示すことができるので宅配ボックスの価値が向上する。
【００４０】
以上、本発明の実施例を図面に基づいて説明したが、具体的な構成はこの実施例に限られるものではなく本発明の要旨を逸脱しない範囲の設計変更等があっても本発明に含まれる。
【００４１】
例えば、荷受け確認手段はスタンプ印２０ａの代わりに印鑑を使用してもよい。また、穿孔手段を用いる荷受け確認手段でも構わない。
【００４２】
第一のシャッタ４１に「受取り可能」と表記したり、第二のシャッタ４２に「荷物が入っています」と表記することで、宅配ボックスの内部の荷物の状況が外側から視覚で容易に判断することができる。
【００４３】
扉の施錠に連動してスタンプ操作を制限すると、スタンプ操作のいたずら防止に対する品質機能をさらに向上することができる。
【図面の簡単な説明】
【００４４】
【図１】本発明の実施形態における、宅配ボックス３１の伝票挿入用開口部３７の開閉装置４０の斜視図である。
【図２】本発明の実施形態における、開閉装置４０の詳細斜視図である。
【図３】本発明の実施形態における、（ａ）は（ｂ）は状態を示す説明図である。
【図４】本発明の実施形態における、（ａ）は（ｂ）は状態を示す説明図である。
【図５】本発明の実施形態における、（ａ）は（ｂ）は状態を示す説明図である。
【図６】従来例における、（ａ）は伝票挿入用開口部３に設けられるシャッタ５が開放状態を示す断面図、（ｂ）はシャッタ５が閉じた状態を示す断面図である。
【符号の説明】
【００４５】
３７  伝票挿入口
３８  伝票受部
３９  スタンプ
４０  開閉装置
４１  第一のシャッタ
４２  第二のシャッタ
４３  係止部
４４  第一弾性体
４６  三角材
４６ａ  斜面
４６ｂ  下面
４７  第二弾性体
５４  押付け材
【図１】
0004872825.tif 000002
【図２】
0004872825.tif 000003
【図３】
0004872825.tif 000004
【図４】
0004872825.tif 000005
【図５】
0004872825.tif 000006
【図６】
0004872825.tif 000007